(57)【特許請求の範囲】
【請求項１】
操作部を備える自動販売機であって、
前記操作部の操作によって摂取上限カロリー値を入力することが可能となっており、
前記操作部の操作によって入力された摂取上限カロリー値以下のカロリー値の商品に関する商品情報の表示と、前記入力された摂取上限カロリー値を超えるカロリー値の商品に関する商品情報の表示とが互いに異なる
ことを特徴とする自動販売機。
【請求項２】
商品が選択されていない状態において、操作部の操作によって入力された摂取上限カロリー値以下のカロリー値の商品に関する商品情報の表示と、前記入力された摂取上限カロリー値を超えるカロリー値の商品に関する商品情報の表示とが互いに異なる
ことを特徴とする請求項１記載の自動販売機。
【請求項３】
操作部を備える自動販売機であって、
前記操作部の操作によって摂取上限カロリー値を入力することが可能となっており、
前記操作部の操作によって入力された摂取上限カロリー値以下のカロリー値の商品が選択された場合には、この選択された商品のカロリー値が前記入力された摂取上限カロリー値から減算され、
この減算後の摂取上限カロリー値以下のカロリー値の商品に関する商品情報の表示と、前記減算後の摂取上限カロリー値を超えるカロリー値の商品に関する商品情報の表示とが互いに異なる
ことを特徴とする自動販売機。
【請求項４】
摂取上限カロリー値を超えるカロリー値の商品が選択された場合に報知を行う
ことを特徴とする請求項１ないし３のいずれか一記載の自動販売機。
【請求項５】
摂取上限カロリー値を超えるカロリー値の商品が選択された場合において、了承操作によって前記選択された商品の購入が可能である
ことを特徴とする請求項１ないし４のいずれか一記載の自動販売機。
【請求項６】
摂取上限カロリー値を超えるカロリー値の商品の購入が不可能である
ことを特徴とする請求項１ないし３のいずれか一記載の自動販売機。
【請求項７】
摂取上限カロリー値を超えるカロリー値の商品が選択された場合において、キャンセル操作によって前記選択された商品のキャンセルが可能であり、
選択された商品がキャンセルされた場合には、このキャンセルされた商品のカロリー値が減算後の摂取上限カロリー値に加算され、
この加算後の摂取上限カロリー値以下のカロリー値の商品に関する商品情報の表示と、前記加算後の摂取上限カロリー値を超えるカロリー値の商品に関する商品情報の表示とが互いに異なる
ことを特徴とする請求項３記載の自動販売機。
【発明の詳細な説明】
【技術分野】
【０００１】
本発明は、メタボリックシンドロームの予防および改善に貢献できる自動販売機に関する。
【背景技術】
【０００２】
従来、例えば特許文献１に記載された自動販売機が知られている。
【０００３】
この従来の自動販売機は、顧客（操作者）が指先でタッチ操作する操作部を兼ねた表示部であるタッチパネル部（表示操作部）、顧客が硬貨を投入する硬貨投入口、顧客が紙幣を投入する紙幣投入口および硬貨が返却される硬貨返却口等を備えている。
【０００４】
そして、タッチパネル部には、商品に関する商品情報（例えばメニューの名称、カロリー値および価格等）、投入された貨幣の金額情報、選択された商品の合計カロリー値および合計価格等が表示される。
【先行技術文献】
【特許文献】
【０００５】
【特許文献１】特開２００２−７４４１２号公報（図３）
【発明の概要】
【発明が解決しようとする課題】
【０００６】
しかしながら、上記従来の自動販売機では、選択された商品の合計カロリー値が単に表示されるだけであるため、顧客が合計カロリー値の表示に気付かず、うっかりカロリーを摂取し過ぎてしまうことがある。
【０００７】
そして、近年、食べ過ぎおよび運動不足を主原因とするメタボリックシンドロームが注目され、メタボリックシンドロームの予防および改善に貢献できる自動販売機が求められていた。
【０００８】
本発明は、このような点に鑑みなされたもので、メタボリックシンドロームの予防および改善に貢献できる自動販売機を提供することを目的とする。
【課題を解決するための手段】
【０００９】
請求項１記載の自動販売機は、操作部を備える自動販売機であって、前記操作部の操作によって摂取上限カロリー値を入力することが可能となっており、前記操作部の操作によって入力された摂取上限カロリー値以下のカロリー値の商品に関する商品情報の表示と、前記入力された摂取上限カロリー値を超えるカロリー値の商品に関する商品情報の表示とが互いに異なるものである。
【００１０】
請求項２記載の自動販売機は、請求項１記載の自動販売機において、商品が選択されていない状態において、操作部の操作によって入力された摂取上限カロリー値以下のカロリー値の商品に関する商品情報の表示と、前記入力された摂取上限カロリー値を超えるカロリー値の商品に関する商品情報の表示とが互いに異なるものである。
【００１１】
請求項３記載の自動販売機は、操作部を備える自動販売機であって、前記操作部の操作によって摂取上限カロリー値を入力することが可能となっており、前記操作部の操作によって入力された摂取上限カロリー値以下のカロリー値の商品が選択された場合には、この選択された商品のカロリー値が前記入力された摂取上限カロリー値から減算され、この減算後の摂取上限カロリー値以下のカロリー値の商品に関する商品情報の表示と、前記減算後の摂取上限カロリー値を超えるカロリー値の商品に関する商品情報の表示とが互いに異なるものである。
【００１２】
請求項４記載の自動販売機は、請求項１ないし３のいずれか一記載の自動販売機において、摂取上限カロリー値を超えるカロリー値の商品が選択された場合に報知を行うものである。
【００１３】
請求項５記載の自動販売機は、請求項１ないし４のいずれか一記載の自動販売機において、摂取上限カロリー値を超えるカロリー値の商品が選択された場合において、了承操作によって前記選択された商品の購入が可能であるものである。
【００１４】
請求項６記載の自動販売機は、請求項１ないし３のいずれか一記載の自動販売機において、摂取上限カロリー値を超えるカロリー値の商品の購入が不可能であるものである。
【００１５】
請求項７記載の自動販売機は、請求項３記載の自動販売機において、摂取上限カロリー値を超えるカロリー値の商品が選択された場合において、キャンセル操作によって前記選択された商品のキャンセルが可能であり、選択された商品がキャンセルされた場合には、このキャンセルされた商品のカロリー値が減算後の摂取上限カロリー値に加算され、この加算後の摂取上限カロリー値以下のカロリー値の商品に関する商品情報の表示と、前記加算後の摂取上限カロリー値を超えるカロリー値の商品に関する商品情報の表示とが互いに異なるものである。
【発明の効果】
【００１６】
本発明によれば、操作部の操作によって摂取上限カロリー値を入力することが可能となっているため、顧客に対して自己の摂取上限カロリー値を意識させることができ、メタボリックシンドロームの予防および改善に貢献できる。
【図面の簡単な説明】
【００１７】
【図１】本発明の一実施の形態に係る自動販売機の正面図である。
【図２】同上自動販売機のブロック図である。
【図３】同上自動販売機のタッチパネル部に表示された画面の例を示す図である。
【図４】単品買いの場合における図３の画面に続く画面の例を示す図である。
【図５】図４の画面に続く画面の例を示す図である。
【図６】連続買いの場合における図３の画面に続く画面の例を示す図である。
【図７】図６の画面に続く画面の例を示す図である。
【図８】図７の画面に続く画面の例を示す図である。
【発明を実施するための形態】
【００１８】
本発明の自動販売機の一実施の形態を図面を参照して説明する。
【００１９】
図１において、１は自動販売機で、この自動販売機１は、商品自体ではなく、商品の券（商品自体と交換可能な券）、すなわち例えば商品であるメニュー（飲食物）の食券を販売する券売機である。
【００２０】
つまり、この自動販売機１は、店舗である飲食店内に設置され、飲食店を訪れた顧客（操作者）に対して、顧客の入金に応じてメニューの食券を販売する食券販売機である。なお、入金は貨幣でなく、電子マネー、クレジットカード、デビットカード等でもよい。
【００２１】
自動販売機１は、図１に示されるように、外形略直方体状の販売機本体２を備えている。販売機本体２の前面側上部には、顧客が指先でタッチ操作する操作部を兼ねた表示部である液晶式のタッチパネル部４が設けられている。操作部であるタッチパネル部４は、正面視略矩形状に形成されている。
【００２２】
販売機本体２の前面側の上下方向中央部には、顧客が硬貨を投入する硬貨投入口５、顧客が紙幣を投入する紙幣投入口６、硬貨が返却される硬貨返却口７、紙幣が返却される紙幣返却口８、顧客が食券を取り出す券取出口９、釣銭返却時に顧客が操作する釣銭返却用ボタン10およびカードを読み取るカード読取部11等が設けられている。
【００２３】
図２は自動販売機１のブロック図であり、自動販売機１は、販売機本体２内に位置する制御手段である制御部13を備えている。制御部13には、表示操作部であるタッチパネル部４、硬貨処理部14、紙幣処理部15、カード処理部16、発券部17、記憶部18および電源部19等が接続されている。
【００２４】
硬貨処理部14は、硬貨投入口５に投入された１０円、５０円、１００円および５００円の硬貨を受け入れて処理し全金種を釣銭としてリサイクル使用する。紙幣処理部15は、紙幣投入口６に投入された千円、二千円、五千円および一万円の紙幣を受け入れて処理し千円紙幣を釣銭としてリサイクル使用する。カード処理部16は、カード読取部11で読み取られたカード情報に基づいて所定の処理を行う。発券部17は、顧客のタッチパネル部４へのタッチ操作に基づいて食券の印字および発行等を行う。記憶部18は、各メニューの名称、カロリー値および価格等や、入力された摂取上限カロリー値等の各種情報を記憶する。電源部19は、自動販売機１の各電気機器に電力を供給する。
【００２５】
次に、自動販売機１の作用等を図面を参照して説明する。
【００２６】
まず、自動販売機１の販売準備として、記憶部18に各種情報を記憶させ、硬貨処理部14および紙幣処理部15に釣銭用の貨幣を装填し、発券部17にロール紙を装填し、電源部19から各電気機器に電力を供給する。
【００２７】
ここで、図３はタッチパネル部４に表示された画面の例を示す図である。
【００２８】
この図３の画面は、単品メニューやセットメニュー等のメニュー（商品）に関するメニュー情報（商品情報）を表示する複数の選択手段であるメニュー選択ボタン21を有している。これら複数のメニュー選択ボタン21は、行列状に並んで表示されている。
【００２９】
各メニュー選択ボタン21のメニュー情報は、少なくとも単品メニューの名称およびその価格を含むもので、例えば「カレー  ４００円」、「うどん  ３００円」および「いなり  １００円」等である。なお、メニュー情報は、メニューの名称の代わりに或いは名称とともに、メニューの絵や写真を含むものでもよい。
【００３０】
また、図３の画面は、摂取上限カロリー値、すなわち例えば「３００」、「５００」、「７００」および「１０００」を表示する複数の選択手段であるカロリー値選択ボタン22を有している。これら複数のカロリー値選択ボタン22は左右方向に並んで表示されており、これら複数のカロリー値選択ボタン22の中から一のカロリー値選択ボタン22がタッチ操作されて選択されることにより摂取上限カロリー値が入力設定される。つまり、タッチパネル部４のタッチ操作により、操作者が摂取しようとするカロリー値の上限である摂取上限カロリー値を入力することが可能となっている。
【００３１】
さらに、図３の画面は、顧客が食券を１枚だけ購入する際つまり単品買いの際にタッチ操作する選択手段である「単品買い」ボタン23と、顧客が食券を２枚以上同時に購入する際つまり連続買い（まとめ買い）の際にタッチ操作する選択手段である「連続買い」ボタン24とを有している。
【００３２】
そして、まず、単品買いの場合について説明する。
【００３３】
顧客は、例えば貨幣を投入し、図３の画面で「単品買い」ボタン23をタッチ操作して選択する。また、顧客は、複数のカロリー値選択ボタン22の中からいずれか一のカロリー値選択ボタン22、すなわち例えば「３００」のカロリー値選択ボタン22をタッチ操作して選択し、摂取上限カロリー値を入力する。
【００３４】
すると、図４に示す画面のように、入力された摂取上限カロリー値以下のカロリー値のメニューのメニュー選択ボタン21と、入力された摂取上限カロリー値を超えるカロリー値のメニューのメニュー選択ボタン21とが、互いに異なる表示態様でタッチパネル部４に表示される。なお、異なる表示態様とは、例えば異なる色、文字等による表示や、一方が点灯で他方が点滅、一方が点灯または点滅で他方が消灯等である。また、例えば選択されたカロリー値選択ボタン22は、選択されなかった残りのカロリー値選択ボタン22とは異なる表示態様（例えば色表示）で表示される。
【００３５】
そして、図４の画面において、顧客が、入力された摂取上限カロリー値以下のカロリー値のメニューのメニュー選択ボタン21をタッチ操作してメニューを選択した場合には、選択されたメニューの購入完了となる。その結果、購入したメニューの名称が印字された食券が発行される。
【００３６】
一方、図４の画面において、顧客が、入力された摂取上限カロリー値を超えるカロリー値のメニューのメニュー選択ボタン21をタッチ操作してメニューを選択した場合には、その旨の報知が行われる。すなわち例えばタッチパネル部４の色や文字等の変化、別途設けた警告表示手段による警告表示、別途設けた警告音発生手段による警告音発生等によって、選択された１つのメニューのカロリー値が入力された摂取上限カロリー値を超えた旨が顧客に対して報知される。
【００３７】
また、摂取上限カロリー値を超えるカロリー値のメニューが選択された場合には、図５に示す画面のように、タッチパネル部４には、選択されたメニューの名称およびそのカロリー値が例えば赤色の選択メニュー表示部分26に表示されるとともに、了承確認手段である「了承」ボタン25が表示される。
【００３８】
そして、顧客が「了承」ボタン25をタッチ操作した場合、つまり了承操作を行った場合には、選択されたメニューの購入完了となり、その結果、購入したメニューの名称が印字された食券が発行される。
【００３９】
「了承」ボタン25を操作せず、既に選択されたメニューのメニュー選択ボタン21を再度タッチ操作した場合、つまりキャンセル操作を行った場合には、選択メニューの解除（キャンセル）または摂取上限カロリー値の入力解除が行われ、図３の画面または図４の画面に戻る。
【００４０】
次いで、連続買いの場合について説明する。
【００４１】
顧客は、例えば貨幣を投入し、図３の画面で「連続買い」ボタン24をタッチ操作して選択する。また、顧客は、複数のカロリー値選択ボタン22の中からいずれか一のカロリー値選択ボタン22、すなわち例えば「５００」のカロリー値選択ボタン22をタッチ操作して選択し、摂取上限カロリー値を入力する。
【００４２】
すると、図６に示す画面のように、入力された摂取上限カロリー値以下のカロリー値のメニューのメニュー選択ボタン21と、入力された摂取上限カロリー値を超えるカロリー値のメニューのメニュー選択ボタン21とが、互いに異なる表示態様でタッチパネル部４に表示される。なお、異なる表示態様とは、例えば異なる色、文字等による表示や、一方が点灯で他方が点滅、一方が点灯または点滅で他方が消灯等である。また、例えば選択されたカロリー値選択ボタン22は、選択されなかった残りのカロリー値選択ボタン22とは異なる表示態様（例えば色表示）で表示される。
【００４３】
そして、顧客が入力された摂取上限カロリー値以下のカロリー値のメニューのメニュー選択ボタン21を複数タッチ操作してメニューを複数選択した場合において、これら選択された複数、例えば２つのメニューの合計カロリー値が入力された摂取上限カロリー値以下であるときには、例えば図７に示す画面となる。
【００４４】
つまり、メニューが選択された場合に、この選択されたメニューのカロリー値が入力された摂取上限カロリー値からメニュー選択毎に減算され、この減算後の摂取上限カロリー値以下のカロリー値のメニューのメニュー選択ボタン21と、減算後の摂取上限カロリー値を超えるカロリー値のメニューのメニュー選択ボタン21とが互いに異なる表示態様でタッチパネル部４に表示される。
【００４５】
また、タッチパネル部４には、選択された複数のメニューの名称およびそれらの合計カロリー値が例えば通常色（白色或いは青色等）の選択メニュー表示部分26に表示されるとともに、決定手段である「決定」ボタン27が表示される。
【００４６】
そして、図７の画面において、顧客が「決定」ボタン27をタッチ操作した場合には、選択された複数のメニューの購入完了となり、その結果、購入したメニューの名称が印字された食券が発行される。
【００４７】
一方、顧客がメニュー選択ボタン21を複数タッチ操作してメニューを複数選択した場合において、これら選択された複数、例えば３つのメニューの合計カロリー値が入力された摂取上限カロリー値を超えたときには、その旨の報知が行われる。すなわち例えばタッチパネル部４の色や文字等の変化、別途設けた警告表示手段による警告表示、別途設けた警告音発生手段による警告音発生等によって、選択された複数のメニューのカロリー値が入力された摂取上限カロリー値を超えた旨が顧客に対して報知される。
【００４８】
また、合計カロリー値が入力摂取上限カロリー値を超えたときには、図８に示す画面のように、選択された複数のメニューの名称およびそれらの合計カロリー値が例えば赤色の選択メニュー表示部分26に表示されるとともに、了承確認手段である「了承」ボタン25が表示される。
【００４９】
そして、顧客が「了承」ボタン25をタッチ操作した場合、つまり了承操作を行った場合には、選択された複数のメニューの購入完了となり、その結果、購入したメニューの名称が印字された食券が発行される。
【００５０】
「了承」ボタン25を操作せず、既に選択されたメニューのメニュー選択ボタン21を再度タッチ操作した場合、つまりキャンセル操作を行った場合には、選択メニューの解除（キャンセル）または摂取上限カロリー値の入力解除が行われ、図３の画面、図６や図７の画面等に戻る。
【００５１】
このとき、選択メニューの一部または全部のキャンセルに基づき、キャンセルされたメニューのカロリー値が減算後の摂取上限カロリー値にメニューのキャンセル毎に加算され、この加算後の摂取上限カロリー値以下のカロリー値のメニューのメニュー選択ボタン21と加算後の摂取上限カロリー値を超えるカロリー値のメニューのメニュー選択ボタン21とが互いに異なる表示態様で表示される。
【００５２】
なお、単品買いおよび連続買いのいずれの場合でも、メニューの選択等は、投入金額以内の価格であることが条件とされ、投入金額不足の場合には購入不可である。また投入金額超過の場合には釣銭が返却される。
【００５３】
そして、このような自動販売機１によれば、タッチパネル部４のカロリー値選択ボタン22のタッチ操作によって摂取上限カロリー値を入力することが可能であり、摂取上限カロリー値以下のカロリー値のメニューに関するメニュー情報の表示と摂取上限カロリー値を超えるカロリー値のメニューに関するメニュー情報の表示とが互いに異なるため、食券購入前に顧客に対して自己の摂取上限カロリー値を意識させることができ、メタボリックシンドロームの予防および改善に適切に貢献できる。
【００５４】
また、摂取上限カロリー値を超えるカロリー値のメニューが選択された場合にその旨の報知を行うため、選択メニューのカロリー値が摂取上限カロリー値を超えたことを顧客に確実に気付かせることができ、メタボリックシンドロームの予防および改善により適切に貢献できる。
【００５５】
つまり、本発明によれば、操作部の操作によって摂取上限カロリー値を入力することが可能となっているため、顧客に対して自己の摂取上限カロリー値を意識させることができ、メタボリックシンドロームの予防および改善に貢献できる。また、摂取上限カロリー値以下のカロリー値の商品に関する商品情報の表示と摂取上限カロリー値を超えるカロリー値の商品に関する商品情報の表示とが互いに異なるため、メタボリックシンドロームの予防および改善に適切に貢献できる。さらに、減算後の摂取上限カロリー値以下のカロリー値の商品に関する商品情報の表示と減算後の摂取上限カロリー値を超えるカロリー値の商品に関する商品情報の表示とが互いに異なるため、メタボリックシンドロームの予防および改善により適切に貢献できる。また、摂取上限カロリー値を超えるカロリー値の商品の購入が不可能であるため、メタボリックシンドロームの予防および改善に効果的に貢献できる。さらに、摂取上限カロリー値を超えるカロリー値の商品が選択された場合に報知を行うため、メタボリックシンドロームの予防および改善に効果的に貢献できる。また、摂取上限カロリー値を超えるカロリー値の商品が選択された場合であっても、了承操作によって選択された商品を購入することは可能である。さらに、加算後の摂取上限カロリー値以下のカロリー値の商品に関する商品情報の表示と加算後の摂取上限カロリー値を超えるカロリー値の商品に関する商品情報の表示とが互いに異なるため、メタボリックシンドロームの予防および改善により適切に貢献できる。
【００５６】
なお、本発明の自動販売機１は、商品（役務を含む）の券を販売するものには限定されず、例えば商品展示部および商品収容部等を備え、商品自体を販売するものでもよい。
【００５７】
また、自動販売機１の表示部が操作部を兼ねたタッチパネル部４である場合について説明したが、例えば表示部と操作部とが別体であってもよく、この場合、操作部は押ボタン式等でもよい。
【００５８】
さらに、単品買いの場合において、入力された摂取上限カロリー値以下のカロリー値のメニューが選択されたときには、この選択されたメニューの購入完了となって発券される構成には限定されず、例えば図７の画面と同じように、選択された１つのメニューの名称およびそのカロリー値が例えば通常色（白色或いは青色等）の選択メニュー表示部分26に表示されるとともに、決定手段である「決定」ボタン27が表示され、かつ減算後の摂取上限カロリー値（残カロリー値）以下のカロリー値の選択ボタン21と減算後の摂取上限カロリー値（残カロリー値）を超えるカロリー値の選択ボタン21とが異なる表示態様で表示される構成等でもよい。
【００５９】
また、例えば「了承」ボタン25が表示されず、摂取上限カロリー値を超えるカロリー値のメニューの購入が不可能な構成でもよく、つまり摂取上限カロリー値を超えるカロリー値のメニューを当初から選択できないようにしてもよい。
【００６０】
さらに、摂取カロリーボタンであるカロリー値選択ボタン22の押下によって摂取上限カロリー値を入力可能な構成には限定されず、例えばテンキー等の操作に基づく数値入力によって任意の値の摂取上限カロリー値を入力可能な構成等でもよい。
【００６１】
また、例えば摂取上限カロリー値を入力しないとメニューの選択ができない構成や、
摂取上限カロリー値を入力した場合に入力された摂取上限カロリー値や加減算後の残カロリー値以下のカロリー値のメニューしか表示されない構成等でもよい。
【００６２】
さらに、図７の画面において選択メニューの名称および合計カロリー値が選択メニュー表示部分26に表示される構成には限定されず、例えば合計カロリー値の代わりに或いは合計カロリー値とともに、減算後の摂取上限カロリー値（残カロリー値）が表示される構成でもよく、また、選択された各メニュー毎のカロリー値が表示される構成等でもよい。
【００６３】
また、選択メニューのカロリー値が入力摂取上限カロリー値を超えた際に選択メニュー表示部分26が通常色（白或いは青等）から赤色に変化する構成には限定されず、例えば選択メニューのカロリー値の増大に応じて通常色（白或いは青等）から黄色を経て赤色に変化する構成等でもよい。
【符号の説明】
【００６４】
１    自動販売機
４    操作部であるタッチパネル部
【図１】
0005420332.tif 000002
【図２】
0005420332.tif 000003
【図３】
0005420332.tif 000004
【図４】
0005420332.tif 000005
【図５】
0005420332.tif 000006
【図６】
0005420332.tif 000007
【図７】
0005420332.tif 000008
【図８】
0005420332.tif 000009